(57)【要約】【課題】ソーシャルネットワークは、日記や電子掲示板を提供するシステムであるが、複数のソーシャルネットワークに参加している参加者は各ソーシャルネットワークごとにログインを行い、ソーシャルネットワークが表示する画面でしか更新情報を確認できない。このため複数のソーシャルネットワークを一覧したり、一括した書き込みを行うことができない。利用者の多いソーシャルネットワークに利用が偏ってしまうことにつながっていた。【解決手段】ソーシャルネットワークの応答を変換する情報を事前に登録し、参加者の持つ各ソーシャルネットワークごとのログインアカウントを、ソーシャルネットワークに送信し、返される情報から認証情報や更新情報を変換して取得する。また取得した認証情報を利用し、各ソーシャルネットワークへの一括書き込みを行えるようにした。【選択図】図１
2008140353.tif 000002
【特許請求の範囲】
【請求項１】
他社が複数のソーシャルネットワークの情報を取得および変更できる方法で、以下の段階を含む方法
各ソーシャルネットワークのアクセス先情報を運営者が登録する段階
各ソーシャルネットワークの出力情報を変換する情報を運営者が登録する段階
利用者が、運営者が登録してある各ソーシャルネットワークごとについて、利用者が所有するログインアカウントを入力し、閲覧リクエストを発行する段階
各ソーシャルネットワークが返す情報を取得し、変換操作を行う段階
変換された情報をもとに、各ソーシャルネットワークの情報を一覧した情報を生成する段階
各ソーシャルネットワークの情報を一覧した情報を利用者に提示する段階
利用者の単一の書き込みを各ソーシャルネットワークに書き込む段階
【請求項２】
各ソーシャルネットワークのアクセス先情報を運営者が登録する段階において、運営者が一ソーシャルネットワークのアクセス先情報をサーバに登録し、利用者の閲覧請求の選択肢として選べるようにすることを特徴とする請求項１のシステム
【請求項３】
各ソーシャルネットワークの出力情報を変換する情報を運営者が登録する段階において、運営者が、一ソーシャルネットワークの出力するログイン画面の、ログイン情報の受け渡し方についてサーバに登録することを特徴とする請求項１のシステム
【請求項４】
各ソーシャルネットワークの出力情報を変換する情報を運営者が登録する段階において、運営者が、一ソーシャルネットワークの出力するログイン後画面の、日記、掲示板の出力情報の見出し、本文内容を抽出する変換情報をサーバに登録することを特徴とする請求項１のシステム
【請求項５】
利用者が、運営者が登録してある各ソーシャルネットワークごとについて、利用者が所有するログインアカウントを入力し、閲覧リクエストを発行する段階において、サーバに入力された利用者のログインアカウントを、各ソーシャルネットワークごとの情報に分離することを特徴とする請求項１のシステム
【請求項６】
利用者が、運営者が登録してある各ソーシャルネットワークごとについて、利用者が所有するログインアカウントを入力し、閲覧リクエストを発行する段階において、請求項５によって分離されたログインアカウントを、請求項２および請求項３においてサーバに登録されている情報をもとに各ソーシャルネットワークの処理体系に変換し、一つ一つのソーシャルネットワークに対して閲覧要求を順次送信し、ソーシャルネットワークの出力をサーバが得ることを特徴とする請求項１のシステム
【請求項７】
請求項６において、利用者が入力した各ソーシャルネットワークごとのログインアカウントを、サーバには保存せず、各ソーシャルネットワークが発行する認証情報を一時的に保持するだけで、セキュリティリスクを低減したことを特徴とする請求項１のシステム
【請求項８】
各ソーシャルネットワークが返す情報を取得し、変換操作を行う段階において、請求項６において送信した閲覧要求について、一ソーシャルネットワークが返した情報をサーバに蓄積する段階を持つ請求項１のシステム
【請求項９】
各ソーシャルネットワークが返す情報を取得し、変換操作を行う段階において、請求項８において蓄積された情報を、請求項３においてサーバに登録された情報を用いて、サーバにて変換処理をおこなう段階を持つ請求項１のシステム
【請求項１０】
変換された情報をもとに、各ソーシャルネットワークの情報を一覧した情報を生成する段階において、請求項９によって変換された、各ソーシャルネットワークごとの日記、掲示板の最新情報を、ひとつの画面情報にサーバにて再構成する段階を持つ請求項１のシステム
【請求項１１】
各ソーシャルネットワークの情報を一覧した情報を利用者に提示する段階において、請求項１０において、生成された画面情報を、サーバから利用者端末に送信する段階を持つ請求項１のシステム
【請求項１１】
利用者の単一の書き込みを各ソーシャルネットワークに書き込む段階において、利用者の書き込み情報を、利用者端末から受信する段階を持つ請求項１のシステム
【請求項１２】
利用者の単一の書き込みを各ソーシャルネットワークに書き込む段階において、請求項１１において、受信した書き込み情報を、請求項２および請求項３においてサーバに登録されている情報をもとに各ソーシャルネットワークの処理体系に変換し、請求項７において一時的に保持している認証情報とともに、一つ一つのソーシャルネットワークに対して書き込み要求を順次送信し、ソーシャルネットワークの出力をサーバが得ることを特徴とする請求項１のシステム
【請求項１３】
利用者の単一の書き込みを各ソーシャルネットワークに書き込む段階において、請求項１２において、各ソーシャルネットワークより返された情報を、請求項３においてサーバに登録された情報を用いて、書き込みの可否を抜き出し、一覧画面を生成する変換処理をサーバにておこなう段階を持つ請求項１のシステム
【請求項１４】
利用者の単一の書き込みを各ソーシャルネットワークに書き込む段階において、請求項１３において、サーバにて生成された一覧画面を、サーバから利用者端末に送信する段階を持つ請求項１のシステム
【発明の詳細な説明】
【技術分野】
【０００１】本発明は、個別のログイン操作を不要とし、複数のソーシャルネットワーク情報を一括で表示するシステムである。
【背景技術】
【０００２】ソーシャルネットワークは、複数の参加者が、ログインすることで日記や掲示板の更新、閲覧ができるシステムである。【０００３】ソーシャルネットワークは、ログインしないと、日記や掲示板の閲覧や変更が行えず、複数のソーシャルネットワークに参加している場合、情報を一括して閲覧や変更することができなかった。
【発明の開示】
【発明が解決しようとする課題】
【０００４】複数のソーシャルネットワークの閲覧を行う場合、従来は個別のログイン操作、閲覧操作を必要と、利用者は著しい手数の操作を必要とした。【０００５】ソーシャルネットワーク運営者にとって、複数のソーシャルネットワークの参加者が、閲覧操作の煩雑さによって、特定のソーシャルネットワークのみの閲覧に偏り、自身のソーシャルネットワークの閲覧頻度、参加者の寄与の度合いが減少してしまう問題をもっていた。【０００６】本発明では、複数のソーシャルネットワークの日記、掲示板の更新情報を一括して表示することにより、利用者の利便を向上させる。【０００７】また、表示対象とするソーシャルネットワーク運営者に、参加者の閲覧増加によるソーシャルネットワークの活性を提供する。
【課題を解決するための手段】
【０００８】ソーシャルネットワークは、閲覧者がインターネットブラウザをもちいて、参加者のログイン操作において、ＩＤ、パスワードからなるアカウント情報をソーシャルネットワークのサーバに送信し、ソーシャルネットワークシステムのサーバは、送られたアカウント情報を、蓄積している認証情報と照合し、正規の利用者と認められれば、一時的な認証状態を示すクッキー情報を発行し、閲覧者のインターネットブラウザに格納させる。【０００９】ソーシャルネットワークシステムは、クッキー情報が認証状態にあると認められれば、日記や掲示板の情報を、利用者のインターネットブラウザに向けて送信する。この際、日記や掲示板の情報は、表示用のＨＴＭＬマークアップ言語として処理されており、日記や掲示板の文字情報は、マークアップタグにより装飾されており、そのままで利用者が読むことは容易ではない。【００１０】本システムでは、各ソーシャルネットワークのログイン画面のＵＲＬと、ログインに必要な認証情報の形式、受け渡し方法をサーバに運営者が事前に登録する。またログイン操作によって返される、成功、失敗、また成功時に表示される画面から、認証情報や日記、掲示板の情報を取得するための変換情報を事前登録する。【００１１】利用者は、本システムの利用開始画面にアクセスし、事前に登録されているソーシャルネットワークのログインアカウント情報を、各ソーシャルネットワークに対応した入力欄に入力し、閲覧操作をリクエストする。【００１２】閲覧操作のリクエストを受けた本システムは、入力されたソーシャルネットワークのログインアカウント情報を、事前に登録されている情報を元に対応するソーシャルネットワークのログインＵＲＬに対して発行し、ソーシャルネットワークの返すＨＴＭＬマークアップデータを受け取る。【００１３】本システムは受け取ったＨＴＭＬマークアップデータを、事前に登録してある変換データをもとに認証結果を抽出し、認証が成功している場合には、クッキー情報を収納し、ログインアカウント情報を破棄する。【００１４】認証が失敗している場合には、失敗した旨の情報を格納し、認証が成功している場合には、ソーシャルネットワークが返したＨＴＭＬマークアップデータから、日記や掲示板の最新情報のＵＲＬを、変換操作により抽出し、取得操作を繰り返す。ソーシャルネットワークから得られたＨＴＭＬマークアップ情報から、日記や掲示板の文字情報を取得して格納する。【００１５】各ソーシャルネットワークごとに変換し取得された日記、掲示板の情報や認証失敗情報をまとめて、整形したＨＴＭＬマークアップ情報を利用者に提示する。【００１６】本システムに対して、閲覧操作後に、各ソーシャルネットワークに一括して書き込みたい文字情報を送信すると、保存してあるクッキー情報と、事前に登録してある各ソーシャルネットワークの認証情報、受け渡し方法を元に、各ソーシャルネットワークごとに対して、書き込みリクエストを行う。【００１７】本システムからの書き込みリクエストに対して、各ソーシャルネットワークが返したＨＴＭＬマークアップデータから、書き込みの成否情報を変換し抽出して、まとめて整形したＨＴＭＬマークアップ情報を利用者に提示する。
【発明の効果】
【００１８】本実施の形態によれば、次のような効果が得られる。【００１９】従来個別にログイン操作を行い閲覧操作を行うことでしか取得できなかったソーシャルネットワークの情報を、一括して、簡単に得ることができる。【００２０】閲覧の手間を省くことで、利用者が複数のソーシャルネットワークに均等にアクセスを継続することが可能となり、小規模なソーシャルネットワークの利用促進が図れる。
【発明を実施するための最良の形態】
【００２１】図１は、本発明の実施形態の概要図であって、１０１が利用者がインターネットブラウザをもちいて閲覧操作を行うパソコンである、本発明のシステムが稼動する１０３のサーバにたいして、各ソーシャルネットワークのアカウント情報を入力して１０２の閲覧リクエストを行う。１０３のサーバで稼動する本システムは、１０５ａから１０５ｃで例示する複数のソーシャルネットワークの稼動するサーバに対して、１０６から１０６ｃで例示する認証リクエスト、閲覧リクエストを発行する。各ソーシャルネットワークのサーバ１０５ａから１０５ｃは、認証の可否や日記、掲示板の情報の含むＨＴＭＬマークアップ情報１０７ａから１０７ｃを本システム１０３に対して返す。本システム１０３は、各ソーシャルネットワークの返したＨＴＭＬマークアップ情報を、事前に蓄積した変換情報に基づいて文字情報を抽出し、再構成したＨＴＭＬマークアップ情報を作成し、利用者のインターネットブラウザの稼動するパソコン１０１に送信する。【００２２】図２は、本発明の実施における、タイムチャートの概念図であって、利用者が自身の端末のインターネットブラウザに複数のソーシャルネットワークのログインアカウント情報を入力し本システムに対して閲覧リクエストを送信する（２０１）。閲覧リクエストを受け取った本システムは、設定されている各ソーシャルネットワークのアクセス先データ、変換情報を取得する（２０２）。取得したアクセス先データを下に、例示する祖者ーるネットワークＡに対して、送信された閲覧リクエスト２０１にふくまれるログインアカウント情報を送信する（２０３ａ）。ソーシャルネットワークＡはログインアカウントが正規なものである場合に、ログイン状態になったことを示すクッキー情報と、最新情報の一覧を記述したＨＴＭＬマークアップ情報（２０４ａ）を本システムに、応答する。本システムはクッキー情報を格納し、ＨＴＭＬマークアップ情報から変換情報に基づいて、日記や掲示板を指し示すＵＲＬ情報を複数取得する（２０５ａ）。得られた各ＵＲＬ情報をもとに、個別の取得リクエストをクッキー情報と共に送信（２０６ａ）し、対応したＨＴＭＬマークアップ情報を取得する（２０７ａ）。得られたＨＴＭＬマークアップ情報を変換情報に基づいて処理して、文字情報を得る（２０８ａ）。例示する別のソーシャルネットワークＢに対しても、同様の処理（２０３ｂから２０８ｂ）を行い、各ソーシャルネットワークごとに得られた文字情報を再編集して、一括して利用者のインターネットブラウザーに対して送信する（２１０）【００２３】図３は、本発明の実施における、初期画面である閲覧リクエスト発行画面を示したものである。閲覧リクエスト発行画面３０１には、事前に運営者が登録しているソーシャルネットワークに対応して、ログインアカウントの入力欄３０２ａから３０３ｃが表示される。ログインアカウントは通常ＩＤ欄（例えば３０２ａ）とパスワード欄（例えば３０３ａ）からなる。利用者は自分が登録してあるソーシャルネットワークのログインアカウントを各欄に入力して、閲覧ボタン３０４をクリックすることにより、本システムに、各ソーシャルネットワークのログインアカウント情報と、閲覧リクエストが送信される。【００２４】図４は、本発明の実施における、本システムが、各ソーシャルネットワークから送られるＨＴＭＬマークアップ言語の応答から、作成される一括表示画面を示したものである。一括表示画面４０１は、各ソーシャルネットワークの情報をまとめた表示欄（４０１ａと４０２ｂ）からなり、各表示欄には、対応するソーシャルネットワークにて提供される、日記、掲示板、メッセージの文字情報（４０２ａから４０３ｂ）が表示される。【００２５】図５は、本発明の実施における、本システムに、各ソーシャルネットワークへの一括書き込み処理をリクエストする送信画面である。一括書き込みリクエスト画面５０１は、書き込み対象とするソーシャルネットワークの選択欄（例えば５０１ａ、５０１ｂ）にて、書き込み対象とするソーシャルネットワークを一つまたは複数選択し、書き込み内容欄５０２に書き込み内容のテキストを入力する。書き込み処理の実行ボタン５０３をクリックすることにより、本システムに各ソーシャルネットワークへの書き込み処理リクエストが送信される。
【図面の簡単な説明】
【００２６】
【図１】本発明の実施形態の概念図
【図２】本発明の動作タイムチャート概念図
【図３】本発明の表示する初期画面
【図４】本発明の表示する各ソーシャルネットワークの情報を一括表示する画面
【図５】本発明の表示する各ソーシャルネットワークへの一括書き込みを指示する画面
【符号の説明】
【００２７】１０１…利用者端末
１０２…利用者端末からの閲覧リクエスト
１０３…本システムの返すソーシャルネットワーク一括情報
１０４…本システムの稼動するサーバ
１０５ａ〜１０５ｃ…各ソーシャルネットワークの稼動するサーバ
１０６ａ〜１０６ｃ…本システムから各ソーシャルネットワークへの情報取得リクエスト
１０７ａ〜１０７ｃ…各ソーシャルネットワークサーバからの応答
２０１…利用者端末から本システムへの閲覧リクエスト
２０２…本システムにおけるソーシャルネットワークに関する事前登録情報の取得
２０３ａ〜２０８ｂ…本システムにおける各ソーシャルネットワークへの認証、閲覧リクエストおよびソーシャルネットワークの応答と本システムにおける変換処理
２１０…本システムから利用者端末への一括情報の表示
３０１〜３０３ｃ…本システムの表示する初期画面とその内容
４０１〜４０３ｂ…本システムの表示する各ソーシャルネットワークの情報を一括した画面
５０１＝５０３…本システムの表示する書き込みリクエスト送信画面
【図１】
2008140353.tif 000003
【図２】
2008140353.tif 000004
【図３】
2008140353.tif 000005
【図４】
2008140353.tif 000006
【図５】
2008140353.tif 000007